(57)【要約】【課題】部品点数が少なく施工が容易であるとともに強度が大きく、作業性、運搬や保管の容易な屋根上パネル設置用屋根瓦、及び屋根上パネルの設置方法を提供する。【解決手段】屋根瓦の表面に、周縁部に係止バー９ａが設けられた屋根上パネル９を設置するための台座部２と該台座部２に取り付けられた装着具３とを有してなり、前記台座部２は、屋根瓦を野地板８上に葺設したときに野地板８と略平行になる角度を有し、前記装着具３は、固定部材４と調節部材５とからなり、前記固定部材４は摺動板４ａを有し、前記調節部材５は前記固定部材４の摺動板４ａ上を摺動可能であり、前記屋根上パネル９の係止バー９ａと係合可能な係止爪５ａ３等の係合手段を有するとともに、前記調節部材５を前記摺動板４ａ上に挟着するための緊締手段５ｃを有することを特徴とする屋根上パネル設置用屋根瓦、及び該屋根上パネル設置用屋根瓦を使用した屋根上パネルの設置方法である。【選択図】図６
2010209583.tif 000002
【特許請求の範囲】
【請求項１】
屋根瓦の表面に、周縁部に係止バーが設けられた屋根上パネルを設置するための台座部と該台座部に取り付けられた装着具とを有してなり、
前記台座部は、屋根瓦を野地板上に葺設したときに野地板と略平行になる角度を有し、
前記装着具は、固定部材と調節部材とからなり、前記固定部材は摺動板を有し、前記調節部材は前記固定部材の摺動板上を摺動可能であり、前記屋根上パネルの係止バーと係合可能な係合手段を有するとともに、前記調節部材を前記摺動板上に挟着するための緊締手段を有することを特徴とする屋根上パネル設置用屋根瓦。
【請求項２】
台座部が屋根瓦の頭部寄りに設けられていることを特徴とする請求項１記載の屋根上パネル設置用屋根瓦。
【請求項３】
台座部が横方向に２以上列設されていることを特徴とする請求項１又は２記載の屋根上パネル設置用屋根瓦。
【請求項４】
台座部が２００ｍｍ以下のピッチで列設されていることを特徴とする請求項３記載の屋根上パネル設置用屋根瓦。
【請求項５】
台座部に取付孔が設けられ、該取付孔の一部が閉鎖されている未貫通孔であることを特徴とする請求項１〜４のいずれか１項に記載の屋根上パネル設置用屋根瓦。
【請求項６】
台座部と装着具との間に緩衝材が設けられていることを特徴とする請求項１〜５のいずれか１項に記載の屋根上パネル設置用屋根瓦。
【請求項７】
野地板上に補強部材を取り付け、前記補強部材に、請求項１〜６のいずれか１項に記載の屋根上パネル設置用屋根瓦を取り付け、
前記パネル設置用屋根瓦の装着部の調節部材を固定部材上で摺動させて係合手段により屋根上パネルを固定する位置に微調整し該調節部材の係合手段と屋根上パネルの係止バーとを係合させ、前記固定部材上に前記調節部材を固定することにより屋根上パネルを取り付けることを特徴とする屋根上パネルの設置方法。
【請求項８】
隣接する屋根上パネル設置用屋根瓦の間に、間隔調整用瓦を介設することを特徴とする請求項７記載の屋根上パネルの設置方法。
【請求項９】
補強部材が下面に排水用凹溝を設けたものであることを特徴とする請求項７又は８記載の屋根上パネルの設置方法。
【請求項１０】
屋根上パネル設置用屋根瓦の裏面と補強部材との間に充填材を充填することを特徴とする請求項７〜９のいずれか１項に記載の屋根上パネルの設置方法。
【発明の詳細な説明】
【技術分野】
【０００１】
本発明は太陽電池モジュール等の屋根上パネルを屋根に固定するための屋根瓦及び屋根上パネルの設置方法に関し、更に詳しくは、縦桟や横桟が不要で部品点数が少なく施工が容易であるとともに強度が強く、また、施工や運搬が容易な屋根上パネルの設置用屋根瓦及び屋根上パネルの設置方法に関するものである。
【背景技術】
【０００２】
近年、エネルギーコストの上昇により様々な代替エネルギーが求められているが、そのうちの１つとして、太陽エネルギーの利用が行われている。具体的には太陽光を直接電気に変換する太陽電池モジュール、太陽熱により水を温めて風呂の湯等として用いる太陽熱温水器、同じく空気を温めて暖房等に用いる空気集熱器等があるが、これらは通常パネル状のユニットとされて屋根の上に設置される（このパネル状のユニットを総称して屋根上パネルと称する）。
【０００３】
このような屋根上パネルを瓦やスレート等の敷設材が敷設された屋根の上に設置する方法としては、従来、例えば長い縦桟の上に長い横桟を固着し、さらにその上に屋根上パネルを設置する取り付け構造（例えば特許文献１）や、屋根の斜面方向に伸びる取付金具の上に長い横桟を固着し、さらにその上に屋根上パネルを設置する支持装置（例えば特許文献２）が開示されている。また、縦長の桟や取付金具を固定し易い屋根瓦（例えば特許文献３）についても開示されている。
【０００４】
しかしながら、上記のような長尺の縦桟や横桟を使用する方法や構造では、部品点数が多くなりすぎ、組み立て作業が煩雑になるばかりでなく、部品の継ぎ目部分で壊れやすくなるため強度が低く耐久性が不十分となり、また、コスト高とならざるを得ない。また、縦桟と横桟があるため、配線ケーブルの配置が困難となるばかりでなく、屋根上の歩行も困難で、作業性が低下するという問題がある。更に、部品点数が多く且つ長尺物を使用するため、施工が困難であり、また、資材管理や、取り扱い性、保管や運搬も容易ではない。特に、これらの構造では縦桟の上に配された横桟の上に屋根上パネルが設置されるため、屋根と屋根上パネルとの隙間が大きくなり、この隙間に風が入り込むことがあるため、強風時には屋根上パネルが吹き飛ぶ恐れがあり、風の強い地方では使用が困難である。
【先行技術文献】
【特許文献】
【０００５】
【特許文献１】特開２００３−３４３０５８号公報（図１）
【特許文献２】特開２００６−３２２２３３号公報（図４）
【特許文献３】特開２００６−３２６２２２号公報（図１）
【発明の概要】
【発明が解決しようとする課題】
【０００６】
本発明は、かかる実情に鑑み、上記従来技術の問題点を解決し、部品点数が少なく、施工性が向上するとともに、部品の継ぎ目部分が少なくなるので強度が大きく耐久性が向上し、また、配線ケーブルの配置や屋根上の歩行も容易であり、更に、施工が容易で、取り扱い性が良好で保管や運搬の容易な屋根瓦及び該屋根瓦を用いた屋根上パネルの設置方法を提供することを課題とする。
【課題を解決するための手段】
【０００７】
上記課題を解決するための請求項１に係る本発明は、屋根瓦の表面に、周縁部に係止バーが設けられた屋根上パネルを設置するための台座部と該台座部に取り付けられた装着具とを有してなり、前記台座部は、屋根瓦を野地板上に葺設したときに野地板と略平行になる角度を有し、前記装着具は、固定部材と調節部材とからなり、前記固定部材は摺動板を有し、前記調節部材は前記固定部材の摺動板上を摺動可能であり、前記屋根上パネルの係止バーと係合可能な係合手段を有するとともに、前記調節部材を前記摺動板上に挟着するための緊締手段を有することを特徴とする屋根上パネル設置用屋根瓦を内容とする。
【０００８】
請求項２に係る発明は、台座部が屋根瓦の頭部寄りに設けられていることを特徴とする請求項１記載の屋根上パネル設置用屋根瓦を内容とする。
【０００９】
請求項３に係る発明は、台座部が横方向に２以上列設されていることを特徴とする請求項１又は２記載の屋根上パネル設置用屋根瓦を内容とする。
【００１０】
請求項４に係る発明は、台座部が２００ｍｍ以下のピッチで列設されていることを特徴とする請求項３記載の屋根上パネル設置用屋根瓦を内容とする。
【００１１】
請求項５に係る発明は、台座部に取付孔が設けられ、該取付孔の一部が閉鎖されている未貫通孔であることを特徴とする請求項１〜４のいずれか１項に記載の屋根上パネル設置用屋根瓦を内容とする。
【００１２】
請求項６に係る発明は、台座部と装着具との間に緩衝材が設けられていることを特徴とする請求項１〜５のいずれか１項に記載の屋根上パネル設置用屋根瓦を内容とする。
【００１３】
請求項７に係る発明は、野地板上に補強部材を取り付け、前記補強部材に、請求項１〜６のいずれか１項に記載の屋根上パネル設置用屋根瓦を取り付け、前記パネル設置用屋根瓦の装着部の調節部材を固定部材上で摺動させて係合手段により屋根上パネルを固定する位置に微調整し該調節部材の係合手段と屋根上パネルの係止バーとを係合させ、前記固定部材上に前記調節部材を固定することにより屋根上パネルを取り付けることを特徴とする屋根上パネルの設置方法を内容とする。
【００１４】
請求項８に係る発明は、隣接する屋根上パネル設置用屋根瓦の間に、間隔調整用瓦を介設することを特徴とする請求項７記載の屋根上パネルの設置方法を内容とする。
【００１５】
請求項９に係る発明は、補強部材が下面に排水用凹溝を設けたものであることを特徴とする請求項７又は８記載の屋根上パネルの設置方法を内容とする。
【００１６】
請求項１０に係る発明は、屋根上パネル設置用屋根瓦の裏面と補強部材との間に充填材を充填することを特徴とする請求項７〜９のいずれか１項に記載の屋根上パネルの設置方法を内容とする。
【発明の効果】
【００１７】
本発明の屋根上パネル設置用屋根瓦は、屋根瓦の表面に、周縁部に係止バーが設けられた屋根上パネルを設置するための台座部と該台座部に取り付けられた装着具とを有してなり、前記台座部は、屋根瓦を野地板上に葺設したときに野地板と略平行になる角度を有しているため、該屋根上パネルは縦桟や横桟等を用いた複雑な構造を必要とすることなく、該屋根瓦に装着具を介して直接設置することができる。従って、作業性が良好であり、また、屋根上パネルの設置後の構造も継目が少なく簡単であるため、強度も大きい。
また、前記装着具は、固定部材と調節部材とからなり、前記固定部材は摺動板を有し、前記調節部材は前記固定部材の摺動板上を摺動可能であり、前記屋根上パネルの係止バーと係合可能な係合手段を有するとともに、前記調節部材を前記摺動板上に挟着するための緊締手段を有するため、調節部材を摺動させることにより屋根上パネルの縦幅に関わらず好適な位置で該屋根上パネルを固定できる。
【００１８】
台座部が屋根瓦の頭部寄りに設けられていれば、装着具をはずした時の台座部の高さを低くすることができ、また、該屋根瓦を積み重ねる場合にコンパクトに積み重ねられ、特に、頭部側及び瓦尻側に垂下部が設けられている屋根瓦では、下位の屋根瓦の台座部が上位の屋根瓦の下に入り込み、一層コンパクトに積み重ねられ大きなスペースを必要とせず、保管や運搬が容易になる。
【００１９】
台座部が横方向に２以上列設されていれば、適当な位置にある台座部を選択して使用することにより、間隔調整用瓦等の調節手段を使わなくとも、屋根上パネルの横幅に関わらず該屋根上パネルの適切な個所を固定することができる。なお、台座部のピッチは２００ｍｍ以下が適当である。
【００２０】
台座部に取付孔が設けられ、該取付孔の一部が閉鎖されている未貫通孔とすることにより、現場での取付が容易になるとともに、屋根上パネルを取り付けていない取付孔からの雨水等の侵入を防ぐことができる。
【００２１】
台座部のパネル固定部に緩衝材が設けられていれば、取付孔に挿通されるビス等を強く締め付けた場合でも、屋根上パネル設置用屋根瓦が割れにくくなり、作業性が高められ、またシール効果も得られる。
【００２２】
隣接する屋根上パネル設置用屋根瓦の間に、間隔調整用瓦を介設すると、屋根瓦や屋根上パネルのサイズに関わらず、様々な組み合わせの屋根瓦と屋根上パネルに適用することができる。
【００２３】
補強部材として下面に排水用凹溝を設けたものを使用すれば、瓦の隙間から雨水等が浸入しても、野地板の上を流れる雨水等が補強部材で滞留することがないので排水性が良くなる。
【００２４】
屋根上パネル設置用屋根瓦の裏面と補強部材との間に充填材を充填すれば、取付孔に挿通されるビス等を強く締め付けても屋根上パネル設置用屋根瓦が割れにくくなり、作業性が高められる。
【図面の簡単な説明】
【００２５】
【図１】図１は本発明の屋根上パネル設置用屋根瓦の一例を示す斜視図である。
【図２】図２（ａ）は図１のＡ−Ａ断面図であり、図２（ｂ）は前記（ａ）の変更例である。
【図３】図３は本発明の屋根上パネル設置用屋根瓦を通常の屋根瓦とともに敷設した状態を示す説明断面図である。
【図４】図４は本発明における別の屋根上パネル設置用屋根瓦の斜視図である。
【図５】図５は台座部と装着具の間に緩衝材が設けられている屋根上パネル設置用屋根瓦の断面図である。
【図６】図６は本発明の屋根上パネルで使用する装着具の分解斜視図である。
【図７】図７（ａ）は図６における固定部材の平面図であり、図７（ｂ）は側面図であり、図７（ｃ）は正面図である。
【図８】図８（ａ）は図６における調節部材の平面図であり、図８（ｂ）はその正面図であり、図８（ｃ）はその側面図である。
【図９】図９は屋根上パネルの係止バーを図８の調節部材で係合した状態を示す概略説明図である。
【図１０】図１０は固定部材に調節部材を固定した状態を示す概略断面図である。
【図１１】図１１（ａ）、（ｂ）、（ｃ）は他の固定部材を示す正面図である。
【図１２】図１２は更に他の固定部材を示す斜視図である。
【図１３】図１３は更に別の固定部材を示す斜視図である。
【図１４】図１４（ａ）は他の調節部材を示す平面図であり、図１４（ｂ）はその正面図、図１４（ｃ）はその側面図である。
【図１５】図１５は屋根上パネルの係止バーを図１４の調節部材で押圧した状態を示す概略説明図である。
【図１６】図１６は別の屋根上パネルの係止バーを図１４の調節部材で押圧した状態を示す概略説明図である。
【図１７】図１７は本発明の屋根上パネル設置用屋根瓦に屋根上パネルを設置した状態を示す説明断面図である。
【図１８】図１８は図１７のＢ−Ｂ断面図である。
【図１９】図１９は図４に示した屋根上パネル設置用屋根瓦に屋根上パネルを設置した状態を示す平面図である。
【図２０】図２０は図１９とは規格が異なる屋根上パネルを間隔調整用瓦及び図１に示した屋根上パネル設置用屋根瓦を用いて設置した状態を示す平面図である。
【発明を実施するための形態】
【００２６】
本発明の屋根上パネル設置用屋根瓦は、例えば図１乃至図３及び図９、図１５乃至図１８に示したように、屋根瓦の表面に、周縁部に係止バー９ａが設けられた屋根上パネル９を設置するための台座部２と該台座部２に取り付けられた装着具３とを有してなり、前記台座部２は、屋根瓦を野地板８上に葺設したときに野地板８と略平行になる角度を有し、
前記装着具３は、固定部材４と調節部材５とからなり、前記固定部材４は摺動板４ａを有し、前記調節部材５は前記固定部材４の摺動板４ａ上を摺動可能であり、前記屋根上パネル９の係止バー９ａと係合可能な係合手段を有するとともに、前記調節部材５を前記摺動板４ａ上に挟着するための緊締手段５ｃを有することを特徴とする。
【００２７】
本発明の屋根上パネル設置用屋根瓦１は、複数個（通常は４個）で１枚の屋根上パネルを支持固定するので、それぞれの屋根上パネル設置用屋根瓦１に設けられる台座部２の上面は同一平面上にある必要があるが、通常、屋根瓦はその頭部１ａを前側に敷設された屋根瓦の瓦尻１ｂの上に重ねて配置するため、その勾配は野地板の勾配よりも小さくなり、台座部２上面の勾配を屋根瓦本体と平行にすれば、同一平面上にはならない。そこで、本発明の屋根上パネル設置用屋根瓦１では、図３に示したように、台座部２を屋根瓦本体１ｃに対して傾斜させて野地板８と平行になるように調整されている。
【００２８】
上記のような屋根瓦本体１ｃに対して傾斜した形状の台座部２は、頭部１ａ側で低く瓦尻１ｂ側で高くなるので、瓦尻１ｂ付近に台座部２を設けると、図２（ｂ）に示すように、台座部２自体の高さが大きくなってしまい、重量が重くなるばかりでなく、台座部２が邪魔になって装着具３を外した屋根瓦の積み重ねも困難になる。従って、図２（ａ）に示すように、台座部２は屋根瓦の頭部寄りに設けるほうが好ましい。
また、図示したような、頭部１ａと瓦尻１ｂに垂下部を有する屋根瓦の場合は、装着具３を外した屋根瓦を積み重ねた場合に下位の屋根瓦の台座部が上位の屋根瓦の裏側に収納されるので、輸送や保管に大きなスペースをとらず、また、取り扱いも容易である。
【００２９】
なお、本発明の屋根上パネル設置用屋根瓦１上に屋根上パネル９を設置する際、屋根上パネル９の上辺又は下辺の端部からそれぞれ１００〜３００ｍｍの位置を計４箇所でビス止めすると、設置された屋根上パネル９が良く安定する。従って、台座部２が前記した端部から内側へ１００〜３００ｍｍの範囲に入るように屋根上パネル設置用屋根瓦１と屋根上パネル９の位置を調整するのが好ましい。しかしながら、台座部２を１つだけ設けた屋根上パネル設置用屋根瓦１の場合、使用する屋根上パネル設置用屋根瓦１と屋根上パネル９の大きさの関係によっては、一つ目の固定位置で位置合わせしても、隣の固定位置で上記の範囲内に台座部２が入らないことがある。
この問題の解決として、図４に示したような、台座部２が横方向に２以上列設された屋根上パネル設置用屋根瓦１を用いることにより、これらの台座部２の内、適当な位置にある１つに装着具３を付け替えて屋根上パネル９を設置することができる。この場合、列設された台座部２のピッチは２００ｍｍ以下が好ましく、１５０ｍｍ以下とするのがより好ましい。
【００３０】
台座部２には、通常、取付孔２ａが設けられ、ここに屋根上パネル９を固定するための装着具３が固定される。取付孔２ａの数は１つ以上であればよいが、図１、図２に示すように、縦に２以上並べて、装着具３が不意に回転しないように２箇所で固定することもできる。
また、このような取付孔２ａは、該取付孔の一部が閉鎖されている未貫通孔とするほうが好ましい。このようにすれば、取付孔２ａに比較的弱い力でビス等を容易に挿通でき、また、施工中に雨が降ったような場合、又は複数の取付孔２ａが設けられており、屋根上パネルの設置にはそのうち１つだけ使用されているような場合でも取付孔２ａから雨水等が浸入しない。なお、装着具３を取り付ける際には、未貫通の取付孔２ａにビス等を挿通する必要があるので、未貫通部分の厚さは、ビス等を取付孔２ａに挿入してから金槌等でビス等の頭を叩くことにより、簡単に打ち抜くことができる程度にしておく。
【００３１】
台座部２と装着具３の間には、図５に示すように、緩衝材２ｂを設けることもできる。これにより、装着具３を取り付ける際に該装着具３を台座部２に強く締め付けても台座部２が破損する心配がないので、作業性が高められる。また、シール性が付与され、雨水の浸入が阻止される効果もある。このような緩衝材としては、ＥＰＤＭシーラー、軟質ポリウレタンフォーム、ポリエチレンフォーム等が挙げられる。
【００３２】
台座部２には、上記の通り装着具３が取り付けられる。この装着具３は、図６乃至図８に示すように、摺動板４ａを有する固定部材４と、前記固定部材４の摺動板４ａ上で摺動可能であり、係合手段（本例では係合爪５ａ３）を有し、緊締手段５ｃを有する調節部材５とからなる。
【００３３】
図６、図７に示した例では、固定部材４は矩形の下部板４ｂと、この下部板４ｂの長辺側の端縁から立設された側板４ｃと、２枚の側板４ｃの内壁から対向するように横設された摺動板４ａと、該摺動板４ａの下にこの摺動板４ａと同様の態様で設けられた仮置き板４ｄからなる。本例では前記側板４ｃの上端がパネル載置部４ｃＰとされ、対向する摺動板４ａの間の部分が長溝４ａＬとされている。下部板４ｂには、固定部材４を屋根瓦固着するための固定孔４ｂＨが設けられている。この固定孔４ｂＨは少なくとも２個（本例では８個）設けることにより、固着する位置をずらせて調整できるようにすることが好ましい。
【００３４】
図６、図８に示した例では、調節部材５は摺動片５ａと固定板５ｂと緊締手段５ｃからなる。摺動片５ａは、座板５ａ１と、この座板５ａ１の後端縁から立設された該調節部材の摺動方向と垂直方向の接続板５ａ２からなり、接続板５ａ２の上端には屋根上パネルの係止バーと係合可能な係合爪５ａ３が係合手段として設けられている。なお、図９に示すように、接続板５ａ２の上端の両側に設けられた係合爪５ａ３は前側又は後側に配置された屋根上パネルの係止バー９ａと係合し、中央の係合爪５ａ３は後側又は前側に配置された屋根上パネル９の係止バー９ａと係合することにより、１つの調節部材５で前後２枚の屋根上パネル９を固定できるようになっている。
【００３５】
固定板５ｂは、上記摺動片５ａの座板５ａ１と共に前記固定部材４の摺動板４ａを挟持するためのもので、本例においては、摺動板４ａの下方に位置するように配置されているが、座板５ａ１と固定板５ｂとで摺動板４ａを挟持できればよいので、固定板５ｂのほうを上方に位置するように配置してもよい。
緊締手段５ｃは、摺動片５ａの座板５ａ１と固定板５ｂの間に固定部材４の摺動板４ａを挟着して、調節部材５を摺動板４ａ上で固定するためのもので、通常はボルトとナットが好適に使用されるが、固定板５ｂの厚さを厚くしてボルトに合うネジを切るか、又は、固定板５ｂとナットとを一体化し、ナット兼用固定板５ｂ′としても良い。ナット兼用固定板５ｂ′を使用した場合、ナット兼用固定板５ｂ′が供廻りすることもないので、緊締手段５ｃによる緊締作業が容易である。また、この場合は、ナットが不要となるので部品点数を一つ減らせる効果もある。
【００３６】
調節部材５は、固定部材４の対向する摺動板４ａの間の長溝４ａＬに挿通されるため、緊締手段５ｃにより締め込む前は、図１０に示すように、摺動板４ａの上で長溝４ａＬに沿って自在に摺動可能である。従って、本例の装着具３で屋根上パネルを固定する際には、固定部材４の位置合わせは固定部材４の上に屋根上パネルの縁部が乗る程度の精度で十分であり、その後に調節部材５を摺動させて、係合爪５ａ３と屋根上パネルの係止バー９ａの位置を調節して係合させればよい。なお、この調節作業において、固定板５ｂを仮置き板４ｄの上に載置することにより、固定板５ｂと下部板４ｂとの間に手を入れて作業する（例えば、ナットを締める）に十分な隙間が形成されるので、緊締手段５ｃによる緊締作業が容易である。ナット兼用固定板５ｂ′の場合も同様である。
【００３７】
固定部材４のパネル載置部４ｃＰは、図１１に示すように、側板４ｃの上端を略水平に内側（図（ａ））、外側（図（ｂ））、又は両側（図（ｃ））に延設してもよい。このようにすれば、パネル載置部４ｃＰの屋根上パネルとの接触面積が大きくなるので屋根上パネルを安定的に載置、固定できるばかりでなく、また、固定部材４を補強する効果も得ることができる。
【００３８】
図１２は固定部材４の他の例を示すもので、固定部材４は、１枚のアルミニウム板等の金属板を折り曲げ加工するとともに、所定の孔を設けて長溝４ａＬ及び固定孔４ｂＨとしたものである。
具体的には、アルミニウム板等の金属板の中央部に長孔を開けて長溝４ａＬとし、摺動板４ａとなる部分の両横を一旦上向きに折り曲げてから逆Ｊ字状に折り曲げて、パネル載置部４ｃＰ及び側板４ｃを形成し、側板４ｃの下端を外側に折り曲げて下部板４ｂを形成し、両端部に設けられた下部板４ｂの中央付近にそれぞれ等間隔に８個の固定孔４ｂＨが穿設されている。
【００３９】
図１３は固定部材４の更に他の例を示すもので、固定部材４は、上記例と同様、１枚のアルミニウム板等の金属板を折り曲げ加工するとともに、所定の孔を開けて長溝４ａＬ及び固定孔４ｂＨとしたものである。
具体的には、アルミニウム板等の金属板の中央部に８個の固定孔４ｂＨを等間隔に穿設し、下部板４ｂとなる部分の両横を上向きに折り曲げて側板４ｃを形成し、側板４ｃの上端からＺ字状に折り曲げてパネル載置部４ｃＰ及び摺動板４ａを形成し、対向する２枚の摺動板の間隙の部分を長溝４ａＬとしている。
【００４０】
図１４は調節部材５の他の例を示す。この例において、調節部材５は、図８に示した調節部材５の接続板５ａ２に代えて外周にねじ山が刻設された接続棒５ａ４が設けられるとともに、係合手段として、係合手段５ａ３に代えて接続棒５ａ４に螺着される押圧手段５ａ５が設けられている。
本例の場合は、押圧手段５ａ５で屋根上パネルの係止バー９ａを上から押圧することにより屋根上パネル９を固定するが、押圧手段５ａ５は接続棒５ａ４を上下に移動できるので、係止バー９ａの高さに関わらず１種類の調節部材５で数種の屋根上パネル９を固定できる。
例えば、図１５に示したように、押圧手段５ａ５が高い状態で係止バー９ａを押圧することもできるし、また、係止バー９ａの位置が低い屋根上パネル９を固定する場合は、図１６に示すように、押圧手段５ａ５を下方に移動させ係止バー９ａを押圧することも可能である。尚、図１６においては、係止バー９ａと押圧手段５ａ５の間に補助金具５ａ６を介設して押圧手段５ａ５と係止バー９ａの係合を強固にした例を示す
【００４１】
本発明における屋根上パネル設置用屋根瓦１の材質は特に限定されず、通常の屋根瓦の材質として使用されているものであれば、どのようなものでも好適に使用でき、具体的には、粘土（陶器製）、セメントモルタル、繊維強化セメントモルタル、コンクリート、金属（鉄、アルミ等の鋳物やプレス加工等）が使用できる。
また、屋根上パネル設置用屋根瓦１の形状、大きさも特に限定されず、Ｊ型、Ｓ型、Ｆ型、スパニッシュ型等、通常使用されている形状、大きさのものが全て好適に使用できる。
【００４２】
本発明における固定部材４、調節部材５の材質は特に限定されず、アルミニウム、鉄（防錆処理した）、銅、ステンレス等の金属や、ＡＢＳ（アクリロニトリル- ブタジエン- スチレン共重合樹脂）、ＡＡＳ樹脂（アクリロニトリル／アクリルゴム／スチレン）、ＡＥＳ樹脂（アクリロニトリル／エチレンプロピレンゴム／スチレン）、ＡＳ樹脂（アクリロニトリル／スチレン）、ＰＳ樹脂（ポリスチレン樹脂）、ＰＭＭＡ樹脂、ＰＶＣ樹脂、ＭＳ樹脂（メチルメタクリレート／スチレン樹脂）、ＰＰ（ポリプロピレン樹脂）、ＰＥ（ポリエチレン樹脂）、ＰＢＴ（ポリブチレンテレフタレート樹脂）およびＰＣ樹脂（ポリカーボネート樹脂）等の樹脂等が使用可能であるが、屋根上パネル９を好適に支持し固定できる剛性を有する点で金属が好ましく、軽量で耐腐食性が高いアルミニウムが最も好ましい。固定部材４については、アルミニウムの押出成形品が特に好ましい。
【００４３】
固定部材の長さも特に限定されないが、取り扱い性や作業性、更には配線ケーブルの設置の容易性、屋根上の歩行の容易性からは、５０ｃｍ以下程度が好ましい。また、例えば、図７で示したように、２個以上（図７では８個）の固定孔を等間隔に列設して固定位置を調節可能とすれば、２０ｃｍ以下程度にまで小さくすることも可能である。
【００４４】
次に、上記した本発明の屋根上パネル設置用屋根瓦１を使用して屋根上パネルを設置するには、例えば図１７、図１８に示すように、垂木１０や野地板８上にビスや釘７ｂで補強部材７を取り付け、前記補強部材７に、上記の屋根上パネル設置用屋根瓦１を取り付け、前記屋根上パネル設置用屋根瓦１の台座部２に取り付けられた装着具３に屋根上パネル９を取り付ける方法が好適である。
【００４５】
上記の図１７、図１８に示した方法においては、垂木１０や野地板８上にビスや釘７ｂを用いて補強部材７を取り付けてから、この補強部材７にビスや釘７ｂを用いて屋根上パネル設置用屋根瓦１を取り付けている。勿論、屋根上パネル設置用屋根瓦１を予め補強部材７に取り付けてから該屋根瓦１に屋根上パネル９を取り付けても良い。
補強部材７の下面には排水用凹溝７ａを設けるのが好ましい。これにより屋根瓦の隙間から侵入した雨水等が野地板（図示していないが、野地板上にはゴムアスルーフィング等の防水シートが敷設される）の上方から流下してきた場合でも、その雨水は補強部材で滞留することなく、排水用凹溝７ａを通り野地板８の斜面に沿って下流に排水される。
なお、図１７中７ｃは屋根上パネル設置用屋根瓦１の裏面と補強部材７との間に充填されたモルタル等の補強材で、これにより取付孔２ｅにビス等を挿通して強く締め付けても、該屋根瓦１が割れにくくなり、作業性が高められる。
【００４６】
屋根瓦の上に屋根上パネル９を設置する場合、図１９及び図２０に記載されるように、屋根上パネル９の角が配置される位置の屋根瓦又はその内側の屋根瓦として本発明の屋根上パネル設置用屋根瓦１を葺き、その上に取り付けられた装着具３に屋根上パネル９を仮置きしてから、その屋根上パネル９に合わせて調節部材５を摺動させ、屋根上パネル９を固定する位置で緊締手段５ｃを緊締して調節部材５を固定する。このようにして、１枚の屋根上パネル９を４個所の装着具３で支持するようにすれば、比較的少ない工数で安定的に屋根上パネル９を設置できる。
この場合、上記した通り、屋根上パネル９はその両端からそれぞれ１００〜３００ｍｍの位置で固定するのが好ましいが、屋根上パネル９の大きさや屋根瓦の大きさ（横幅）によっては、図１に記載したような、台座部２及び装着具３が１つしかない屋根上パネルの設置用屋根瓦１を用いて設置すれば、例えば屋根上パネル９の右辺側において、屋根上パネル９の右端から１００〜３００ｍｍの範囲内に固定したとしても、台座部２及び装着具３の位置がずれて左辺側では固定位置が前記好ましい範囲から外れる場合がある。
このような場合、図１９に示したように、台座部２が２以上設けられた屋根上パネル設置用屋根瓦１を用い、複数の台座部２のなかから適当な台座部２を選択して予め装着具３を取り付け、屋根上パネル９を設置すればよい。
【００４７】
また、図２０に示したように、間隔調整用瓦６ａを用いて、屋根上パネル設置用屋根瓦１の台座部２が屋根上パネル９の端部から適当な位置に配置されるように調整することもできる。
しかし、間隔調整用瓦６ａを用いると、必要な瓦の種類が増えて作業効率が低下するので、上記図１９に示したように、台座部２が２以上設けられた屋根上パネル設置用屋根瓦１を用い、複数の台座部２のなかから適当な台座部２を選択して装着具３を取り付けて使用するほうが好ましい。
尚、図１９、図２０においては、屋根瓦は、一般に千鳥状に葦設されることが多いが、図中では簡略化して示されている。
【産業上の利用可能性】
【００４８】
上記したとおり、本発明の屋根上パネル設置用屋根瓦は、縦桟や横桟等の長尺物を使用することなく、直接屋根上パネルを世知できるので施工が容易であるとともに、構造が簡単で継目が少ないため強度が大きく耐久性に優れ、極めて有用性の高いものである。
【符号の説明】
【００４９】
１  屋根上パネル設置用屋根瓦
１ａ  頭部
１ｂ  瓦尻
１ｃ  屋根瓦本体
２  台座部
２ａ  取付孔
２ｂ  緩衝材
３  装着具
４  固定部材
４ａ  摺動板
４ａＬ  長溝
４ｂ  下部板
４ｂＨ  固定孔
４ｃ  側板
４ｃＰ  パネル載置部
４ｄ  仮置き板
５  調節部材
５ａ  摺動片
５ａ１  座板
５ａ２  接続板
５ａ３  係合爪
５ａ４  接続棒
５ａ５  押圧手段
５ａ６  補助金具
５ｂ  固定板
５ｂ′  ナット兼用固定板
５ｃ  緊締手段
６  通常の屋根瓦
６ａ  間隔調整用瓦
７  補強部材
７ａ  排水用凹溝
７ｂ  ビス又は釘
７ｃ  充填材
８  野地板
９  屋根上パネル
９ａ  係止バー
１０垂木
【図１】
2010209583.tif 000003
【図２】
2010209583.tif 000004
【図３】
2010209583.tif 000005
【図４】
2010209583.tif 000006
【図５】
2010209583.tif 000007
【図６】
2010209583.tif 000008
【図７】
2010209583.tif 000009
【図８】
2010209583.tif 000010
【図９】
2010209583.tif 000011
【図１０】
2010209583.tif 000012
【図１１】
2010209583.tif 000013
【図１２】
2010209583.tif 000014
【図１３】
2010209583.tif 000015
【図１４】
2010209583.tif 000016
【図１５】
2010209583.tif 000017
【図１６】
2010209583.tif 000018
【図１７】
2010209583.tif 000019
【図１８】
2010209583.tif 000020
【図１９】
2010209583.tif 000021
【図２０】
2010209583.tif 000022